(57)【特許請求の範囲】
【請求項１】
周りに沿って複数のレグの各一端と第１ヒンジピンで連結し、前記複数のレグの他端が下部中心方向と既に設定した第１角度との間で旋回するように制限するそれぞれの第１ストッパー部を設けた下部ブロックと；前記下部ブロックと軸連結で水平回転し、周りに沿って複数の支持台の各一端と第２ヒンジピンで連結し、前記複数の支持台の他端が下部中心方向と既に設定した第２角度との間で旋回するように制限する第２ストッパー部を設けた上部ブロックと；前記第２ストッパー部で上側の旋回角度の支持を受ける前記複数の支持台の各他端を連結することで、その設置がなされる座席部材とを含んでなり、
前記下部ブロックは、貫通孔と前記貫通孔に下部が挿入されることにより設置される支持管体を備えたものからなり、前記上部ブロックは、前記支持管体の上部が挿入される結合溝と、前記支持管体内に挿入される回転軸を備え、
前記複数のレグと複数の支持台は同一方向に折り畳まれたり広がることを特徴とする簡易椅子。
【請求項２】
前記第２ストッパー部は前記支持台の一端部の上部を囲む形状の部位が前記第２角度をなし、前記上部ブロックの中心から外側へ延長して突出し、前記第２ヒンジピンは前記第２ストッパー部の外側の側部に設置され、前記支持台は一側の側部に前記第２ヒンジピンが貫通し、前記支持台の長手方向に長さを有する長孔を形成したものからなり、前記支持台の長孔の一側先端が前記第２ヒンジピンに係止される時に他端が下部中心方向から第２角度の範囲内で旋回可能であり、第２角度の状態で前記第２ストッパー部と前記第２ヒンジピンに案内されて前記上部ブロックの中心方向に摺動可能であり、前記第２ヒンジピンが長孔の一側末端から外れた位置にあるように、摺動した状態で他端の旋回が防止されるようにしたことを特徴とする、請求項１に記載の簡易椅子。
【請求項３】
前記上部ブロックには前記支持台の摺動に対応して第２角度で前記支持台の一側端部の部位が挿入される挿入溝をさらに形成したものからなることを特徴とする、請求項２に記載の簡易椅子。
【請求項４】
前記挿入溝の深さ方向の末端に一端が固定され、他端は前記支持台の一端に固定されて第２角度で置かれた前記支持台が前記挿入溝に挿入されるように弾性力を提供する弾性部材をさらに備える、請求項３に記載の簡易椅子。
【請求項５】
前記第２ヒンジピンに一端が固定され、他端は前記支持台の他側端部に固定されて第２角度で置かれた前記支持台が前記挿入溝に挿入されるように弾性力を提供する弾性部材をさらに備える、請求項３に記載の簡易椅子。
【請求項６】
前記第２ストッパー部は長手方向に長さを有するガイド孔を形成し、前記支持台の上部を囲む形状の部位が前記第２角度をなし、前記上部ブロックの中心から外側へ延長して突出し、前記第２ヒンジピンは前記ガイド孔に摺動結合されるように前記支持台に設置され、前記支持台はガイド孔の一側先端が前記第２ヒンジピンに係止される時に他端が下部中心方向から第２角度の範囲内で旋回可能であり、第２角度の状態で前記第２ストッパー部と前記第２ヒンジピンに案内されて前記上部ブロックの中心方向に摺動可能であり、前記第２ヒンジピンがガイド孔の一側先端から外れた位置にあるように摺動した状態で他端の旋回が防止されるようにしたことを特徴とする、請求項１に記載の簡易椅子。
【請求項７】
前記上部ブロックには前記支持台の摺動に対応して第２角度で前記支持台の一側端部の部位が挿入される挿入溝をさらに形成したものからなることを特徴とする、請求項６に記載の簡易椅子。
【請求項８】
前記挿入溝の深さ方向の末端に一端が固定され、他端は前記第２ヒンジピンに固定されて第２角度で置かれた前記支持台が前記挿入溝に挿入されるように弾性力を提供する弾性部材をさらに備える、請求項７に記載の簡易椅子。
【請求項９】
周りに沿って複数のレグの各一端と第１ヒンジピンで連結し、前記複数のレグの他端が下部中心方向と既に設定した第１角度との間で旋回するように制限するそれぞれの第１ストッパー部を設けた下部ブロックと；前記下部ブロックと軸連結で水平回転し、周りに沿って複数の支持台の各一端と第２ヒンジピンで連結し、前記複数の支持台の他端が下部中心方向と既に設定した第２角度との間で旋回するように制限する第２ストッパー部を設けた上部ブロックと；前記第２ストッパー部で上側の旋回角度の支持を受ける前記複数の支持台の各他端を連結することで、その設置がなされる座席部材とを含んでなり、
前記第２ストッパー部は前記支持台の一端部の上部を囲む形状の部位が前記第２角度をなし、前記上部ブロックの中心から外側へ延長して突出し、前記第２ヒンジピンは前記第２ストッパー部の外側の側部に設置され、前記支持台は一側の側部に前記第２ヒンジピンが貫通し、前記支持台の長手方向に長さを有する長孔を形成したものからなり、前記支持台の長孔の一側先端が前記第２ヒンジピンに係止される時に他端が下部中心方向から第２角度の範囲内で旋回可能であり、第２角度の状態で前記第２ストッパー部と前記第２ヒンジピンに案内されて前記上部ブロックの中心方向に摺動可能であり、前記第２ヒンジピンが長孔の一側末端から外れた位置にあるように、摺動した状態で他端の旋回が防止されるようにし、前記上部ブロックには、前記支持台の摺動に対応して第２角度で前記支持台の一側端部の部位が挿入される挿入溝をさらに形成したことを特徴とする簡易椅子。
【発明の詳細な説明】
【技術分野】
【０００１】
本発明は、使用者が座った状態で容易に方向を変えることができ、椅子に着席した使用者の荷重が何れか一方向に傾くことに対応して、その方向への垂れを防止して使用者の姿勢を安定的に支持可能にした簡易椅子に関する。
【背景技術】
【０００２】
一般に、野外で使用される簡易椅子は、金属材のフレームと、前記フレームに結合された合成樹脂シート材質の座席部材とで構成されることが一般的である。
【０００３】
この時、前記フレームは簡単に折り畳むことができるように構成されて、使用しない時は椅子全体を折り畳んで収納空間を減らし、容易に運搬することができるように構成される。
【０００４】
このような簡易椅子の構造は、韓国登録実用新案２０−０２８３５７２号や韓国登録実用新案２０−０４７５７０２号に掲示されている。
【０００５】
しかしながら、前記のような従来技術は、使用者が座った状態で方向を変えることができないため、使用者が方向を変えるためには椅子全体を持ち上げて椅子の方向を変えた後、椅子に座らなければならないという不便があった。
【０００６】
そこで、最近は前述の問題を解決するための構成として、下部ブロック、上部ブロック、複数のレグ、複数の支持台及び座席部材が最小限の体積に縮小可能であり、使用時に容易に組み立てることができる簡易椅子が図１のように提案されている。
【０００７】
しかしながら、図１のような従来の簡易椅子は、座席部材を支持する支持台がヒンジとの連結部位を中心に上側への回転は制限されるが、下側方向には制限がないため、図１の矢印で示したように、使用者の荷重の作用に対応する支持台の部位は下側へ傾きやすく、使用上の不便をもたらすという問題があった。
【発明の概要】
【発明が解決しようとする課題】
【０００８】
本発明は前記問題点を解決するためのものであって、使用者が座った状態で容易に方向を変えることができるようになった新たな構造の簡易椅子を提供し、使用者が座った姿勢で前方を含む何れか一側の方向に荷重が傾くことに対応して、その方向への垂れまたは傾きを防止すると同時に、保管時に上部ブロックと連結した支持台が下部ブロックのレグと共に中心下部方向に折り畳まれるようにして体積を減らすようにする簡易椅子を提供することにその目的がある。
【課題を解決するための手段】
【０００９】
前述の目的を達成するための本発明は、周りに沿って複数のレグの各一端と第１ヒンジピンで連結し、前記複数のレグの他端が下部中心方向と既に設定した第１角度との間で旋回するように制限する第１ストッパー部を設けた下部ブロックと、前記下部ブロックと軸連結で水平回転し、周りに沿って複数の支持台の各一端と第２ヒンジピンで連結し、前記複数の支持台の他端が下部中心方向と既に設定した第２角度との間で旋回するように制限する第２ストッパー部を設けた上部ブロックと、前記複数の支持台の各他端を連結することで、その設置がなされる座席部材を含んでなる簡易椅子において、前記レグと支持台は同一方向に折り畳まれたり広がったりするようになっている。
【００１０】
また、前記下部ブロックは、貫通孔と前記貫通孔に下部が挿入されることにより設置される支持管体を備えたものからなり、前記上部ブロックは、前記支持管体の上部が挿入される結合溝と前記支持管体内に挿入される回転軸を備える。
【００１１】
そして、前記第２ストッパー部は前記支持台の上部を囲む形状の部位が前記第２角度をなし、前記上部ブロックの中心から外側へ延長して突出し、前記第２ヒンジピンは前記第２ストッパー部の外側の側部に設置され、前記支持台は一側の側部に前記第２ヒンジピンが貫通し、前記支持台の長手方向に長さを有する長孔を形成したものからなり、前記支持台の長孔の一側末端が前記第２ヒンジピンに係止される時に他端が下部中心方向から第２角度の範囲内で旋回可能であり、第２角度の状態で前記第２ストッパー部と前記第２ヒンジピンに案内されて前記上部ブロックの中心方向に摺動可能であり、前記第２ヒンジピンが長孔の一側末端から外れた位置にあるように摺動した状態で他端の旋回が防止されるようにする。
【００１２】
また、前記上部ブロックには前記支持台の摺動に対応して、第２角度で前記支持台の一側端部の部位が挿入される挿入溝をさらに形成したものからなる。
【００１３】
また、前記挿入溝の深さ方向の末端に一端が固定され、他端は前記支持台の一端に固定されて第２角度で置かれた前記支持台が前記挿入溝に挿入されるように弾性力を提供する弾性部材をさらに備える。
【００１４】
また、前記第２ヒンジピンに一端が固定され、他端は前記支持台の他側端部に固定されて第２角度で置かれた前記支持台が前記挿入溝に挿入されるように弾性力を提供する弾性部材をさらに備える。
【００１５】
また、前記第２ストッパー部は長手方向に長さを有するガイド孔を形成し、前記支持台の上部を囲む形状の部位が前記第２角度をなし、前記上部ブロックの中心から外側へ延長して突出し、前記第２ヒンジピンは前記ガイド孔に摺動結合されるように前記支持台に設置され、前記支持台はガイド孔の一側先端が前記第２ヒンジピンに係止される時に他端が下部中心方向から第２角度の範囲内で旋回可能であり、第２角度の状態で前記第２ストッパー部と前記第２ヒンジピンに案内されて前記上部ブロックの中心方向に摺動可能であり、前記第２ヒンジピンがガイド孔の一側末端から外れた位置にあるように摺動した状態で他端の旋回が防止されるようになっている。
【００１６】
また、前記上部ブロックには、前記支持台の摺動に対応して第２角度で前記支持台の一側端部の部位が挿入される挿入溝をさらに形成したものからなる。
【００１７】
また、前記挿入溝の深さ方向の末端に一端が固定され、他端は前記第２ヒンジピンに固定されて第２角度で置かれた前記支持台が前記挿入溝に挿入されるように弾性力を提供する弾性部材をさらに備える。
【発明の効果】
【００１８】
本発明による簡易椅子は、使用者が座席部材に座った状態で容易に方向を変えることができ、使用者が座った姿勢で前方を含む何れか一側の方向に荷重が傾く時にその方向の支持台が上部ブロックの第２ストッパー部と第２ヒンジピン及び挿入溝に挿入された状態により垂れを支持することで、使用者の安定的な姿勢を保持し、保管しようとする時には上部ブロックと連結した支持台を第２角度の外側へ引き出した後、下部ブロックのレグと共に中心の下部方向に折り畳まれるようにすることで、その体積を最小限に減らす効果がある。
【図面の簡単な説明】
【００１９】
【図１】従来の簡易椅子の結合斜視図である。
【図２】本発明による簡易椅子を示した斜視図である。
【図３】本発明による簡易椅子の上部ブロックと下部ブロックとの結合状態を示した斜視図である。
【図４】本発明による簡易椅子の上部ブロックと下部ブロックとの結合状態を示した他の斜視図である。
【図５】本発明による簡易椅子の上部ブロックと下部ブロックとが結合される状態を示した側断面図である。
【図６】本発明による簡易椅子の上部ブロックと下部ブロックとが結合された状態を示した側断面図である。
【図７】本発明による簡易椅子の上部ブロックと支持台との結合状態を示した側断面図である。
【図８】本発明による簡易椅子の上部ブロックと支持台との結合状態を示した他の側断面図である。
【図９】本発明による簡易椅子の上部ブロックと支持台とが弾性部材で連結された状態を示した側断面図である。
【図１０】本発明による簡易椅子の折り畳んだ状態を示した斜視図である。
【図１１】本発明の他の実施例による上部ブロックと支持台との結合状態を示した側断面図である。
【図１２】本発明の他の実施例によって上部ブロックと支持台とが結合された状態を示した側断面図である。
【図１３】本発明の他の一つの具体例によって上部ブロックと支持台とが結合される状態を示した側断面図である。
【図１４】本発明の他の一つの具体例による上部ブロックと支持台との結合された状態を示した側断面図である。
【図１５】本発明の他の実施例による簡易椅子の支持台を示した側面図である。
【発明を実施するための最良の形態】
【００２０】
本発明における簡易椅子の最良の形態は、周りに沿って複数のレグの各一端と第１ヒンジピンで連結し、前記複数のレグの他端が下部中心方向と既に設定した第１角度との間で旋回するように制限する第１ストッパー部を設けた下部ブロックと、前記下部ブロックと軸連結で水平回転し、周りに沿って複数の支持台の各一端と第２ヒンジピンで連結し、前記支持台の他端が下部中心方向と既に設定した第２角度との間で旋回するように制限する第２ストッパー部を設けた上部ブロックと、前記第２ストッパー部で上側の旋回角度の支持を受ける前記支持台の各他端を連結することで、その設置がなされる座席部材とを含んでなり、前記複数のレグと支持台は同一方向に折り畳まれたり広がったりするようになっている。
【発明を実施するための形態】
【００２１】
本発明の明細書及び特許請求の範囲で使用する用語や単語は、通常的または辞典的な意味として限定して解釈されるべきではなく、「発明者は自らの発明を最善の方法で説明するために用語の概念を適切に定義することができる」という原則に則って本発明の技術的思想に合致する意味及び概念として解釈されるべきである。
【００２２】
また、本発明の明細書に記載の実施例と図面に示した構成は、本発明の好ましいの実施例に過ぎないものであり、本発明の技術的思想を全て代弁するものではないので、本発明の出願時点において、これらを代替することができる多様な均等物及び変形例は、本発明の特許請求の範囲に帰属され得ることを理解すべきである。
【００２３】
そして、本発明の説明において、一端または一側の表現は下部ブロックと上部ブロックの中心方向またはその方向にある部位を称するものとし、他端または他側は下部ブロックと上部ブロックの中心から外側方向またはその方向にある部位を称するものとして説明することとする。
【００２４】
併せて、本発明の説明において、下部と上部の表現は簡易椅子の使用状態を基準として説明することとする。
【００２５】
まず、図２〜図８のように、本発明の一つの具体例による簡易椅子の構成を説明する。
【００２６】
本発明は、周りに沿って複数のレグ１２の各一端と第１ヒンジピンｈ１で連結し、前記複数のレグ１２の他端が下部中心方向と既に設定した第１角度との間で旋回するように制限する第１ストッパー部１１を設けた下部ブロック１０と、前記下部ブロック１０と軸連結で水平回転し、周りに沿って複数の支持台２２の各一端と第２ヒンジピンｈ２で連結し、前記複数の支持台２２の他端が下部中心方向と既に設定した第２角度との間で旋回するように制限する第２ストッパー部２１を設けた上部ブロック２０と、前記支持台２２の各他端を連結することで、その設置がなされる座席部材３０とを含んでなり、前記レグ１２と支持台２２は同一方向に折り畳まれたり広がるようになっている。
【００２７】
この時、前記下部ブロック１０は、図３〜図８のように、周りに前記複数のレグ１２が第１ヒンジピンｈ１で連結され、図６〜図８のように、前記第１ヒンジピンｈ１との連結部位を中心に上下回動されるように構成される。
【００２８】
また、前記上部フレーム２０は、前述の支持台２２がの周りに沿って第２ヒンジピンｈ２で上下回動可能に連結されるように構成されるものであり、図４及び図５のように、前記下部ブロック１０の上側へ連結される軸を中心に回転可能に連結構成する。
【００２９】
この時、前記下部ブロック１０は、強度の高い合成樹脂材質のブロック状に構成されたものであって、中央部には上下面を貫通する貫通孔１０ａが形成され、前記貫通孔１０ａには上下方向に延長された支持管体１０ｂが結合される。
【００３０】
また、前記支持管体１０ｂは強度の高い金属材の円形の単管状に構成されたものであって、下端は前記貫通孔１０ａの内部に埋め込まれて固定され、下端は前記下部ブロック１１の上側に延長される。
【００３１】
そして、前記レグ１２は、強度の高い金属管体で構成することが好ましい。
【００３２】
また、説明したように、前記下部ブロック１０は貫通孔１０ａに下部が挿入されることにより設置される支持管体１０ｂを備えたものからなり、前記上部ブロック２０は前記支持管体１０ｂの上部が挿入される結合溝２０ａと前記支持管体１０ｂ内に挿入される回転軸２０ｂを備えたものからなる。
【００３３】
この時、前記上部ブロック２０は、強度の高い合成樹脂材質のブロック状に構成することが好ましく、前記結合溝２０ａは前記上部ブロック２０の下側面に形成し、前記結合溝２０ａの内部で延長して前記回転軸２０ｂが備えられるように構成することが好ましい。
【００３４】
そして、前記下部ブロック１０の第１ストッパー部１１と、前記上部ブロック２０の第２ストッパー部２１とは、相互９０°の間隔で離隔されるように構成することが好ましい。
【００３５】
また、前記下部ブロック１０と上部ブロック２０との間には、前記支持管体１１ｂの外側に結合されるワッシャをさらに備えて構成することができる。
【００３６】
そして、本発明は図６〜図８のように、前記上部フレーム２０の第２ストッパー部２１に第２ヒンジピンｈ２を通じて支持台２２が複数回動結合されるように構成して、使用者が前記第２ヒンジピンｈ２との連結部位を中心に前記支持台２２を図６〜図８のように、広げるか、折り畳んだ状態をなすようにすることができる。
【００３７】
例えば、前記第２ヒンジピンｈ２を中心に連結された支持台２２を図３及び図６のように、広げた状態では、前記支持台２２が前記上部フレーム２０の第２ストッパー部２１と図６のように密着した状態を保持することで、前記支持台２２に連結された座席部材３０に使用者が座る場合にも前記座席部材３０と連結された複数の支持台２２が何れか一方向に垂れたり、傾いたりすることを防止する。
【００３８】
また、前記第１ヒンジピンｈ１の構成を通じて前記下部ブロック１０の第１ストッパー部１１に連結される複数のレグ１２は、既に設定した第１角度の間で旋回するように制限されて連結されるものであり、前述の既に設定した第１角度とは、使用者が前記第１ストッパー部１１を形成する過程で前記第１ストッパー部１１と第１ヒンジピンｈ１を通じて連結されるレグ１２の旋回方向と角度を調節しようとする数値によって形成するものである。
【００３９】
例として、前記第１ストッパー部１１に前記第１ヒンジピンｈ１で連結されるレグ１２の広がる角度が図３のように、前記第１ストッパー部１１との連結部位を中心に３０〜７０°以内の角度で旋回可能にするための場合には、使用者が前記第１ストッパー部１１と、これに連結されるレグ１２の結合される構成と形状を多様に変更してなすことができる。
【００４０】
そして、前記第２ストッパー部２１に前記第２ヒンジピンｈ２で連結される支持台２２は、既に設定した第２角度の間で旋回するように制限されて連結されるものであり、この時、前記第２角度とは、図３のように、前記第２ヒンジピンｈ２を中心に広がる支持台２２の角度を示すものであり、前記支持台２２が広げられる角度を制限することができるように前記第２ストッパー部２１の形状を形成してなすことができる。
【００４１】
しかし、前記のような第１角度及び第２角度は、使用者が前記レグ１２と支持台２２の広がる角度を一定の範囲内で制限しようとする場合であれば、使用者の選択によって前記第１ストッパー部１１と第２ストッパー部２２の形状を多様に変更してなすことができるのはもちろんである。
【００４２】
また、前記第２ストッパー部２１は前記支持台２２の上部を囲む形状の部位が前記第２角度をなし、前記上部ブロック２０の中心から外側へ延長して突出して構成し、前記第２ヒンジピンｈ２は前記第２ストッパー部２１の外側の側部に設置されるように構成し、前記支持台２２は一側の側部に前記第２ヒンジピンｈ２が貫通し、前記支持台２２の長手方向に長さを有する長孔２２ａを形成してなる。
【００４３】
このような構成は図６〜図９のように、前記第２ストッパー部２１と支持台２２との結合及び分離を容易にするための構成であって、前記第２ヒンジピンｈ２と長孔２２ａの結合される構成を通じて前記第２ストッパー部２１に第２ヒンジピンｈ２で結合された支持台２２を広げたり折り畳んだりすることができるようにする。
【００４４】
また、前記のような構成において、前記上部ブロック２０には前記支持台２２の摺動に対応して第２角度で前記支持台２２の一側端部の部位が挿入される挿入溝２１ａをさらに形成することで、図６のように、前記支持台２２が第２ストッパー部２１に結合される場合にも、前記支持台２２の結合される部位が前記挿入溝２１ａに摺動結合されることで、前記ストッパー部２１と支持台２２との結合をさらに堅固になし、それによる支持台２２の固定状態を安定的に保持するものである。 
【００４５】
すなわち、前記のような構成を通じて前記上部ブロック２０の上側へ前記座席部材３０を容易に設置するものであり、前記座席部材３０に使用者が座る場合にも座席部材３０と連結された支持台２２が何れか一方向に垂れたり、傾いたりすることを容易に防止することができる。
【００４６】
さらに、本発明は、図９のように、前記挿入溝２１ａの深さ方向の先端に一端が固定され、他端は前記支持台２２の一端に固定されて第２角度で置かれた前記支持台２２が前記挿入溝２１ａに挿入されるように弾性力を提供する弾性部材２３をさらに備えて構成する。
【００４７】
これは、図９のように、前記弾性部材２３の構成を通じて前記挿入溝２１ａの方向に前記支持台２２の結合がさらに容易かつ堅固になされるようにする。
【００４８】
この時、前記弾性部材２３は、前記挿入溝２１ａに結合される前記支持台２２に弾性力を伝達して引っ張ることができる構成であれば、使用者の選択によってスプリング、弾性紐、弾性ワイヤなどのように、多様な弾性部材２３を適用して構成することができる。
【００４９】
さらに、本発明は他の実施例として、図１１及び図１２のように、前記第２ヒンジピンｈ２に一端が固定され、他端は前記支持台２２の他側端部に固定され、第２角度で置かれた前記支持台２２が前記挿入溝２１ａに挿入されるように弾性力を提供するように前記弾性部材２３を備えて構成することができる。
【００５０】
このような構成は、図１１及び図１２のように、前記弾性部材２３の弾性力を通じて前記支持台２２の他側端部が前記挿入溝２１ａの方向に移動されるように構成することで、前記挿入溝２１ａへ前記支持台２２の一側端部が摺動結合されるようにするものである。
【００５１】
この時、前記支持台２０は、図１１及び図１２のように、複数の支持台２０が内側に挿入されるインサートチューブを通じて着脱可能に結合され、前記弾性部材２３の構成を通じてその結合が堅固に保持されるように構成することができ、前記支持台２２の他側端部には前記第２ヒンジピンｈ２に一端の固定がなされた弾性部材２３が連結され得る栓を備えて構成することもできる。
【００５２】
一方、本発明は他の一つの具体例として、図１３及び図１４のように、前記第２ストッパー部２１は長手方向に長さを有するガイド孔２４を形成し、前記支持台２２の上部を囲む形状の部位が前記第２角度をなし、前記上部ブロック２０の中心から外側へ延長して突出し、前記第２ヒンジピンｈ２は前記ガイド孔２４に摺動結合されるように前記支持台２２に設置がなされ、前記支持台２２はガイド孔２４の一側先端が前記第２ヒンジピンｈ２に係止される時に他端が下部中心方向から第２角度の範囲内で旋回可能であり、第２角度の状態で前記第２ストッパー部２１と前記第２ヒンジピンｈ２に案内されて前記上部ブロック２０の中心方向に摺動可能であり、前記第２ヒンジピンｈ２がガイド孔２４の一側末端から外れた位置にあるように摺動した状態で他端の旋回が防止されるようになっている。
【００５３】
この時、前記下部ブロック１０及び上部ブロック２０の構成は、前述した本発明の具体例による構成と、その構成及び機能が同一であるため、これに対する詳細な説明は省略する。
【００５４】
ただし、本発明の他の一つの具体例による前記上部ブロック２０には、前記支持台２２の摺動に対応して第２角度で前記支持台２２の一側端部の部位が挿入される挿入溝２１ａをさらに形成し、前記挿入溝２１ａの深さ方向の末端に一端が固定され、他端は前記第２ヒンジピンｈ２に固定されて第２角度で置かれた前記支持台２２が前記挿入溝２１ａに挿入されるように弾性力を提供する弾性部材２３をさらに備える。
【００５５】
このような構成は、図１３及び図１４のように、前記第２ストッパー部２１と支持台２２との結合及び分離を容易にするための構成であって、前記第２ヒンジピンｈ２とガイド孔２４の結合される構成を通じて前記第２ストッパー部２１に第２ヒンジピンｈ２で結合された支持台２２を容易に広げたり折り畳んだりすることができるようにする。
【００５６】
また、前記上部ブロック２０に前記支持台２２の摺動に対応して第２角度で前記支持台２２の一側端部の部位が挿入される挿入溝２１ａをさらに形なすることで、図１４のように、前記支持台２２が前記挿入溝２１ａに摺動結合される場合、前記ストッパー部２１と支持台２２との結合をさらに堅固にし、それによる支持台２２の固定状態を安定的に保持するものである。
【００５７】
また、前記挿入溝２１ａの深さ方向の末端に一端が固定され、他端は前記第２ヒンジピンｈ２に固定され、第２角度で置かれた前記支持台２２が前記挿入溝２１ａに挿入されるように弾性力を提供する弾性部材２３をさらに備えることで、図１３及び図１４のように、前記挿入溝２１ａの方向に前記支持台２２が引っ張られ、さらに容易かつ堅固に結合されるようにする。
【００５８】
さらに、本発明は、図１０のように、前記レグ１２と支持台２２が同一方向に折り畳まれる場合、図３及び図４のように、前記支持台２２が密着され得る安着部１３をさらに備えて構成することができる。
【００５９】
これは、図１０のように、前記レグ１２と支持台２２を同一方向に折り畳む場合、前記支持台２２が前記下部ブロック１０の安着部１３に密着するように位置させ、前記レグ１２を内側へ密着されるように移動させることで、簡易椅子を容易に折り畳むことができる。
【００６０】
このような前記安着部１３の構成を通じて図１０のように、本発明による簡易椅子を折り畳んで簡易椅子の体積を最小化することで、便利に運搬及び保管することができる。
【００６１】
一方、本発明の座席部材３０は前記支持バー２３が容易に結合され得るように、図２のように前記支持バー２３が連結される複数のポケット３１をさらに含んで構成することができ、このようなポケット３１は使用者の選択によって適用可能であることはもちろんである。
【００６２】
また、本発明の支持台２２は、図１５のように、中間部を分離することができるように構成して前記支持台２２を折り畳んだ時、支持台２２が占める空間を減らすことができるように構成することができる。
【００６３】
本発明は特定の具体例と実施例に関連して図示して説明したが、特許請求の範囲により提供される本発明の要旨または範囲を逸脱しない範囲内で、本発明が多様に改良及び変更可能であることは、本発明が属する技術分野において通常の知識を有する者にとって自明である。
【符号の説明】
【００６４】
１０  下部ブロック，１０ａ  貫通孔，１０ｂ  支持管体，１１  第１ストッパー部，１２  レグ，２０  上部ブロック，２０ａ  結合溝，２０ｂ  回転軸，２１  第２ストッパー部，２１ａ  挿入溝，２２  支持台，２２ａ  長孔，２３  弾性部材，２４  ガイド孔，３０  座席部材，３１  ポケット，ｈ１  第１ヒンジピン，ｈ２  第２ヒンジピン。
【図１】
0006788323.tif 000002
【図２】
0006788323.tif 000003
【図３】
0006788323.tif 000004
【図４】
0006788323.tif 000005
【図５】
0006788323.tif 000006
【図６】
0006788323.tif 000007
【図７】
0006788323.tif 000008
【図８】
0006788323.tif 000009
【図９】
0006788323.tif 000010
【図１０】
0006788323.tif 000011
【図１１】
0006788323.tif 000012
【図１２】
0006788323.tif 000013
【図１３】
0006788323.tif 000014
【図１４】
0006788323.tif 000015
【図１５】
0006788323.tif 000016